(57)【要約】【課題】  意匠性を高めることができ、また、設計の自由度を高めることができ、さらに、レンズ表面に汚れや傷が付くことを防止できる室内照明灯を提供する。【解決手段】  室内照明灯は１０、車両の天井トリム１１に開口１２が設けられ、この開口１２に意匠部１３が取付可能に設けられ、この意匠部１３の一部を構成するレンズ１４の裏面１４Ａに自己保持用の係止ロック片１５，１６が一体成形され、レンズ１４における係止ロック片１５，１６に対応する位置に遮光層１８が設けられている。【選択図】  図２
2006021656.tif 000002
【特許請求の範囲】
【請求項１】
車両の内装材に設けられた開口に取付可能なハウジングにレンズが固定された意匠部を備え、
前記レンズの裏面に自己保持用の係止ロック片が一体成形された室内照明灯であって、
前記レンズにおける前記係止ロック片に対応する位置に遮光層が設けられていることを特徴とする室内照明灯。
【発明の詳細な説明】
【技術分野】
【０００１】
本発明は、車両の天井面やサンバイザなどの内装材に設けられた室内照明灯に関する。
【背景技術】
【０００２】
車両の天井面やサンバイザには車室内を照明したり、あるいは化粧時などの照明に利用したりする室内照明灯が設けられている（例えば、特許文献１参照）。
【特許文献１】特開平２００３−１１８４８０号公報
【０００３】
特許文献１の室内照明灯は、車体のルーフパネルにルームランプを取り付けることにより、ルーフパネルの内側に配置した光源バルブが、意匠部（特に、レンズ）で覆われた状態に配置される。
通常、光源バルブを意匠部で覆うために、意匠部はルーフパネルやハウジングに取り付けられている。
なお、ハウジングはルーフパネルに取り付けられている。
【０００４】
レンズをルーフパネルやハウジングに取り付ける具体例を図５、図６に基づいて説明する。
図５に示す意匠部１００は、レンズ１０１の裏面１０２に係止ロック片１０３，１０４が一体に形成され、係止ロック片１０３，１０４がルーフパネル１０５の開口１０６に係止されることにより、光源バルブ１０７をレンズ１０１で覆うように取り付けられる。
【０００５】
また、図６に示す意匠部１２０は、レンズ１２１の裏面１２２の４隅に係止ロック片１２３が一体に形成され、係止ロック片１２３がハウジング１２５の開口部１２６に係止されることにより、光源バルブ１２７をレンズ１２１で覆うように取り付けられる。
ハウジング１２５にレンズ１２１を取り付けた状態で、ハウジング１２５をルーフパネル１２８の開口１２９に取り付けることで、意匠部１２０がルーフパネル１２８に取り付けられる。
【発明の開示】
【発明が解決しようとする課題】
【０００６】
意匠部１００，１２０のレンズ１０１，１２１にデザイン的にアクセントを付けて意匠性を高めるために、レンズ１０１，１２１の表面１０８，１３１にレンズカットによる凹凸部やシボによる当凸部を形成する方法が考えられる。
しかし、レンズ表面１０８，１３１にレンズカットを形成したり、シボを形成したりするだけでは、レンズ表面１０８，１３１（すなわち、意匠面）側から係止ロック片１０３，１０４，１２３や補強用リブ（図６参照）が見えてしまい、見栄えが悪いという問題があった。
【０００７】
また、レンズ１０１，１２１の意匠性を高める際に、その方法を、レンズ表面１０８，１３１へのレンズカット処理やシボ処理などの少ない選択肢から選ぶ必要があり、設計の自由度が少ないという問題があった。
さらに、レンズ１０１，１２１の着脱時に、作業者の手がレンズ表面１０８，１３１に直接触れることになり、レンズ表面１０８，１３１に汚れや、傷を付けてしまう虞れがあった。
【０００８】
本発明は、意匠性を高めることができ、また、設計の自由度を高めることができ、さらに、レンズ表面に汚れや傷が付くことを防止できる室内照明灯を提供することを目的とする。
【課題を解決するための手段】
【０００９】
前述した目的を達成するために、本発明の室内照明灯は、車両の内装材に設けられた開口に取付可能なハウジングにレンズが固定された意匠部を備え、前記レンズの裏面に自己保持用の係止ロック片が一体成形された室内照明灯であって、前記レンズにおける前記係止ロック片に対応する位置に遮光層が設けられていることを特徴としている。
【００１０】
本発明の室内照明灯によれば、レンズにおける係止ロック片に対応する位置に遮光層を設けたため、レンズの表面側から係止ロック片が見えないように遮光層で隠すことが可能になり、意匠性を一層高めることができる。
また、遮光層としては、例えば印刷・蒸着・フイルムインモールド・塗装等がある。よって、設計者は、印刷・蒸着・フイルムインモールド・塗装などの多種の選択肢から、要求に応じた遮光層を選ぶことが可能になり、設計の自由度を高めることができる。
さらに、レンズの着脱時に、遮光層を備えた部位を持って作業をおこなうことが可能になる。よって、作業者の手がレンズ部に直接触れることを防ぐことができ、レンズ表面に汚れや、傷が付くことを防止できる。
【発明の効果】
【００１１】
本発明の室内照明灯によれば、レンズにおける係止ロック片に対応する位置に、遮光層を設けることで、意匠性を高めることができ、また、設計の自由度を高めることができ、さらに、レンズ表面に汚れや傷が付くことを防止できるという効果が得られる。
【発明を実施するための最良の形態】
【００１２】
以下、本発明に係る実施形態を図面に基づいて詳細に説明する。図１は本発明に係る室内照明灯の第１実施形態を示す断面図、図２は本発明に係る室内照明灯の第１実施形態を示す斜視図である。
【００１３】
本発明に係る第１実施形態の室内照明灯１０は、車両の天井トリム（内装材）１１に開口１２が設けられ、この開口１２に意匠部１３が取付可能に設けられ、この意匠部１３の一部を構成するレンズ１４の裏面１４Ａに自己保持用の係止ロック片１５，１６が一体成形され、レンズ１４における係止ロック片１５，１６に対応する位置に遮光層１８が設けられている。
【００１４】
意匠部１３は、略矩形状に形成したレンズ１４を備え、レンズ１４の裏面１４Ａで、かつ右端部近傍に右係止ロック片１５を備え、レンズ１４の裏面１４Ａで、かつ左端部近傍に左係止ロック片１６を備え、レンズ１４の表面１４Ｂで、かつ、少なくとも係止ロック片１５，１６に対応する部位に遮光層１８を備える。
【００１５】
図２に示すように、遮光層１８は、レンズ１４の上下の縁に沿って所定幅Ｗ１で形成した上下の遮光層１８Ａ，１８Ｂと、レンズ１４の左右の縁に沿って所定幅Ｗ２で形成した左右の遮光層１８Ｃ，１８Ｄとからなる
すなわち、遮光層１８は、レンズ１４の周縁に沿って所定の幅で形成された略矩形の枠状に形成された層である。
これにより、レンズ１４の中央部が、透視性を備えたレンズ部１９となる。
【００１６】
レンズ１４における係止ロック片１５，１６に対応する位置に遮光層１８を設けた。
よって、レンズ１４の表面１４Ｂ側から係止ロック片１５，１６が見えないように遮光層１８で隠すことが可能になり、意匠性を一層高めることができる。
【００１７】
遮光層１８としては、例えば印刷・蒸着・フイルムインモールド・塗装等の処理を施した多種の層がある。
よって、設計者は、印刷・蒸着・フイルムインモールド・塗装などの多種の選択肢から、要求に応じた遮光層１８を選ぶことが可能になり、設計の自由度を高めることができる。
【００１８】
レンズ１４の周縁に沿って遮光層１８を備えることで、レンズ１４の着脱時に、遮光層１８を備えた部位を持って作業を行なうことが可能になる。
よって、作業者の手がレンズ部１９に直接触れることを防ぐことができ、レンズ部１９の表面に汚れや、傷が付くことを防止できる。
【００１９】
次に、図３、図４に基づいて第２実施形態について説明する。
本発明に係る第２実施形態の室内照明灯３０は、車両の天井トリム（内装材）３１に開口３２が設けられ、この開口３２にハウジング３３が取り付けられ、このハウジング３３に意匠部３４が取付可能に設けられ、この意匠部３４の一部を構成するレンズ３５の裏面３５Ａに、自己保持用の係止ロック片３６（一例として、４本）が一体成形されるとともに、補強用リブ３７が一体成形され、レンズ３５における係止ロック片３６に対応する位置に遮光層３８が設けられている。
【００２０】
第２実施形態の室内照明灯３０は、主にハウジング３３を備えた点で第１実施形態の室内照明灯１０と異なるように構成されている。
意匠部３４は、略矩形状に形成したレンズ３５を備え、レンズ３５の裏面３５Ａの４隅近傍に係止ロック片３６を備え、レンズ３５の表面３５Ｂで、かつ少なくとも係止ロック片３６に対応する部位に遮光層３８を備える。
【００２１】
係止ロック片３６をハウジング３３の内側に差し込み、係止ロック片３６の爪部３６Ａを、ハウジング３３の内側に形成した係合凹部３３Ａに係止する。これにより、ハウジング３３に意匠部３４を取り付ける。
【００２２】
図４に示すように、遮光層３８は、レンズ３５の上下の縁に沿って所定幅Ｗ１で形成した上下の遮光層３８Ａ，３８Ｂと、レンズ３５の左右の縁に沿って所定幅Ｗ２で形成した左右の遮光層３８Ｃ，３８Ｄとからなる。
すなわち、遮光層３８は、レンズ３５の周縁に沿って所定の幅で形成された略矩形の枠状に形成された層である。
これにより、レンズ３５の中央部が、透視性を備えたレンズ部３９となる。
【００２３】
レンズ３５における係止ロック片３６および補強用リブ３７に対応する位置に遮光層３８を設けた。
よって、レンズ３５の表面３５Ｂ側から係止ロック片３７および補強用リブ３７が見えないように遮光層３８で隠すことが可能になり、意匠性を一層高めることができる。
【００２４】
遮光層３８としては、第１実施形態の遮光層１８と同様に、例えば印刷・蒸着・フイルムインモールド・塗装等の処理を施した多種の層がある。
よって、設計者は、印刷・蒸着・フイルムインモールド・塗装等の多種の選択肢から、要求に応じた遮光層３８を選ぶことが可能になり、設計の自由度を高めることができる。
【００２５】
レンズ３５の周縁に沿って遮光層３８を備えることで、レンズ３５の着脱時に、遮光層３８を備えた部位を持って作業を行なうことが可能になる。
よって、作業者の手がレンズ部３９に直接触れることを防ぐことができ、レンズ部３９の表面に汚れや、傷が付くことを防止できる。
【００２６】
なお、前記第１、第２実施形態では、車両の内装材として天井トリム１１に室内照明灯１０，３０を取り付けた例について説明したが、これに限らないで、例えばサンバイザなどのその他の部位に室内照明灯１０，３０を取り付けることも可能である。
【００２７】
なお、前記第１、第２実施形態では、遮光層１８，３８を、レンズ１４，３５の周縁に沿って所定の幅で形成された略矩枠状に形成した層を例に説明したが、遮光層１８，３８の形状はこれに限定するものではない。
要は、レンズ１４，３５の裏面１４Ａ，３５Ａ側に形成した係止ロック片１５，１６，３６や補強用リブ３７が、レンズ１４，３５の外側から目視されないように遮光層１８，３８の形状を決めればよい。
【００２８】
また、前述した実施形態において例示した室内照明灯１０，３０，天井トリム１１，３１，開口１２，３２，意匠部１３，３４，レンズ１４，３５，係止ロック片１５，１６，３６，遮光層１８，３８等の材質，形状，寸法，形態，数，配置個所等は本発明を達成できるものであれば任意であり、限定されない。
【図面の簡単な説明】
【００２９】
【図１】本発明に係る室内照明灯の第１実施形態を示す断面図である。
【図２】本発明に係る室内照明灯の第１実施形態を示す斜視図である。
【図３】本発明に係る室内照明灯の第２実施形態を示す断面図である。
【図４】本発明に係る室内照明灯の第２実施形態を示す斜視図である。
【図５】従来の室内照明灯を示す断面図である。
【図６】従来のもう一つの室内照明灯を示す断面図である。
【符号の説明】
【００３０】
１０，３０  室内照明灯
１１，３１  天井トリム（内装材）
１２，３２  開口
１３，３４  意匠部
１４，３５  レンズ
１４Ａ，３５Ａ  裏面
１５，１６，３６  係止ロック片
１８，３８  遮光層
【図１】
2006021656.tif 000003
【図２】
2006021656.tif 000004
【図３】
2006021656.tif 000005
【図４】
2006021656.tif 000006
【図５】
2006021656.tif 000007
【図６】
2006021656.tif 000008